(57)【要約】【課題】既設の住宅のベランダの柵あるいは手すりに後付けが簡単に行うことができ、高さの調節を行うに際し円滑に摺動し容易に操作できるブラインドを提供する。【解決手段】角筒１１の一面長手方向を開口１２し、その開口１２の縁から内側に直角に折り曲げて縁耳１３を形成し、角筒の内面四隅に断面角形の肉厚部１４を形成して縁耳１３の内側に窪みＫ１、開口１２の対向内面に窪みＫ２，角筒１１の内面両側に窪みＫ３を形成した外筒１０と、上記外筒１０の窪みＫ１と窪みＫ２に摺動ライナーＬ１，Ｌ２を介して摺動可能に嵌り、ルーバー枠３０を受け入れる長手方向の開口２１を設けた摺動筒２０と、上記摺動筒２０の開口２１に断面Ｈ型の部材３１を挿入してルーバー枠３０を嵌め込んで、摺動筒２０とルーバー枠３０とをビス止めしたものである。【選択図】図１
2007023488.tif 000002
【特許請求の範囲】
【請求項１】
角筒（１１）の一面長手方向を開口（１２）し、その開口（１２）の縁から内側に直角に折り曲げて縁耳（１３）を形成し、角筒の内面四隅に断面角形の肉厚部（１４）を形成して縁耳（１３）の内側に窪み（Ｋ１）、開口（１２）の対向内面に窪み（Ｋ２），角筒（１１）の内面両側に窪み（Ｋ３）を形成した外筒（１０）と、上記外筒（１０）の窪み（Ｋ１）と窪み（Ｋ２）に摺動ライナー（Ｌ１，Ｌ２）を介して摺動可能に嵌り、ルーバー枠（３０）を受け入れる長手方向の開口（２１）を設けた摺動筒（２０）と、上記摺動筒（２０）の開口（２１）にルーバー枠（３０）を嵌め込み、摺動筒（２０）とルーバー枠（３０）とを直接または間接に固定してなるブラインド。
【請求項２】
上記摺動筒（２０）の開口（２１）の対向部長手方向に窪み（Ｋ４）を設けてなる請求項１に記載のブラインド
【請求項３】
上記摺動筒（２０）の開口（２１）に断面Ｈ型の部材（３１）を挿入しルーバー枠（３０）を嵌め込み、摺動筒（２０）にルーバー枠（３０）を固定してなる請求項１または２に記載のブラインド。
【請求項４】
上記外筒（１０）の窪み（Ｋ３）にビス孔（１５）を穿設し、ベランダの柵または手すり（４０）に外筒をビス止めしてなる請求項１乃至３のいずれかに記載のブラインド。
【発明の詳細な説明】
【技術分野】
【０００１】
この発明はブラインド、とりわけベランダの柵あるいは手すりに取付け容易にした昇降可能なブラインドに関する。
【背景技術】
【０００２】
ベランダにブラインドを設ける技術として特許文献１および２がある。
【０００３】
【特許文献１】特開２００３−２０７２０号公報（要約および選択図面）
【０００４】
【特許文献２】特開平８−２１０５７号公報（要約および選択図面）
【発明の開示】
【発明が解決しようとする課題】
【０００５】
上記特許文献１は、ベランダの手すりにガイドを取付け、このガイドにルーバー枠を嵌めて上下に摺動可能にしたものである。また、特許文献２はベランダの柵に開度を調節可能にしたルーバーを取付けたものである。
【０００６】
特許文献１の先行技術は、ベランダの柵に後付け可能になっているが、ブラインドの高さを調節可能にしておらず、単にルーバー枠を上下動できるようにしたものである。また特許文献２の先行技術は、後付けの考慮が払われておらず上下動もできないものである。
【０００７】
この発明は、既設の住宅のベランダの柵あるいは手すりに後付けが簡単に行うことができ、高さの調節を行うに際し円滑に摺動し容易に操作できるブラインドを提供することを課題とする。
【課題を解決するための手段】
【０００８】
上記課題を解決するためにこの発明は、角筒１１の一面長手方向を開口１２し、その開口１２の縁から内側に直角に折り曲げて縁耳１３を形成し、角筒の内面四隅に断面角形の肉厚部１４を形成して縁耳１３の内側に窪みＫ１、開口１２の対向内面に窪みＫ２，角筒１１の内面両側に窪みＫ３を形成した外筒１０と、上記外筒１０の窪みＫ１と窪みＫ２に摺動ライナーＬ１，Ｌ２を介して摺動可能に嵌り、ルーバー枠３０を受け入れる長手方向の開口２１を設けた摺動筒２０と、上記摺動筒２０の開口２１に断面Ｈ型の部材３１を挿入してルーバー枠３０を嵌め込んで、摺動筒２０とルーバー枠３０とをビス止めしたものである。
【発明の効果】
【０００９】
上記の如く構成するこの発明によれば、ベランダの柵や手すりに簡単に取付けることができ、外筒と摺動筒とは摺動ライナーを介して嵌め合わせているので上下の摺動が極めて円滑に行うことができる。
上記高さ調節は、ラック・ピニオン、ウォーム・ギヤー、ピン孔とピンなど公知の手段で適宜調節することができる。
【発明を実施するための最良の形態】
【００１０】
次にこの発明の実施の形態を、図面を参照しながら説明する。
【００１１】
外筒１０は、アルミニウムの押出し成型品で、角筒１１の一つの面で長手方向に開口１２し、その開口１２の縁から内側に直角に折り曲った縁耳１３を形成し、角筒１１の内面の四隅に断面角形の肉厚部１４を形成し、縁耳１３の内側に窪みＫ１、開口１２に対向する内面に窪みＫ２、角筒１１の内面の左右両側に窪みＫ３を形成したものである。
【００１２】
摺動筒２０は、断面コ字状の端縁を直角に曲げ、摺動ライナーＬ２を介して上記窪みＫ１の幅に合うように再度直角に曲げて縁耳を形成し、コ字状の背中に相当する面には摺動ライナーＬ１を介して上記窪みＫ２に嵌り合うように凹部を形成している。なお、上記摺動ライナーＬ１，Ｌ２は、耐摩耗性で滑りの良いポリアミドまたはそれに相当する素材を採用し接着剤により強力に接着されている。
【００１３】
ルーバー枠３０両端には断面Ｈ型の部材３１を嵌め、この部材３１をビスネジ３２により固定し、摺動筒２０の開口２１にギャップをもって嵌め込む、このとき上記Ｈ型の部材３１の端は摺動筒の窪みＫ４の外面にぴったり嵌り合いビスネジ３３により摺動筒２０にルーバー枠３０が取付けられる。
【００１４】
本発明に係るブラインドをベランダの柵への取り付けるには、手すり４０あるいは横桟に雌ネジ４１を設け、外筒１０を宛がい、ビス孔１５と雌ネジ４１の位置を合わせてビスネジ４２を締付ける。このときビスネジを回す工具４３は、外筒１０に穿設した貫通孔１６から差し込んでビスネジを回す。
【００１５】
外筒１０の取り付けが終わると、ルーバー枠３０と一体になった摺動筒２０を外筒１０の中に差し込んで取り付けは完了する。
【００１６】
ルーバー枠３０の高さの調整は外筒１０にピン孔を穿設し、摺動筒２０に適宜間隔の調整孔を複数個穿設してピンＰを差し込むようにすることができ、ラック・ピニオン、ウォーム・ギヤーなど公知の回転運動−直線運動変換機構を採用してもよく、さらに前記機構を制御モーターにより駆動してもよい。
【産業上の利用可能性】
【００１７】
以上説明したとおりこの発明によれば既設のベランダの柵に簡単にブラインドを取付けることができ、また、外筒と摺動筒との間に摺動ライナーを介在させることによりスムースに上下に摺動させることができる。
【図面の簡単な説明】
【００１８】
【図１】（ａ）手すりに外筒を取付けた状態の断面図、（ｂ）摺動筒の断面図、（ｃ）Ｈ型部材の断面図、（ｄ）外筒に、ルーバー枠を取付けた摺動筒を差し込んだ状態の断面図
【図２】ベランダの柵に本発明に係るブラインドを取付けた一部切り欠き斜視図
【符号の説明】
【００１９】
１０  外筒
１１  角筒
１２  開口
１３  縁耳
１４  肉厚部
１５  ビス孔
１６  貫通孔
２０  摺動筒
２１  開口
３０  ルーバー枠
３１  Ｈ型の部材
３２，３３  ビスネジ
４０  手すり（横桟）
４１  雌ネジ
４２  ビスネジ
４３  工具（六角レンチ）
Ｂ  ベランダ
Ｋ１，Ｋ２，Ｋ３，Ｋ４  窪み
Ｌ１，Ｌ２  摺動ライナー
Ｐ  ピン
【図１】
2007023488.tif 000003
【図２】
2007023488.tif 000004